(57)【特許請求の範囲】
【請求項１】
鉤状のフック部と、定位置でこのフック部の内側にありその位置から沈み込む方向へ弾性変形することによりフック部との間の着脱口を開放する板状のクリップ部とを具備するものにおいて、
前記クリップ部の先端に、定位置でフック部の内側に重合する突部を幅方向に沿って中心から一方向へ偏位させた位置に設けるとともに、フック部の先端に、定位置にある前記クリップ部の突部よりも更に一方向へ偏位した位置において前記突部に隣接する突起を設けており、
前記クリップ部は、フック部の外側に位置する状態で当該フック部とともに樹脂一体成型され、その位置からねじりを伴って当該フック部の内側に回り込み更に当該クリップ部の突部が前記フック部の突起を乗り越えた位置で定位置に収まることを特徴とするフック部材。
【請求項２】
被保持体に設けられた保持用穴にフック部を係り合わせて前記被保持体の吊り下げ保持を可能とするものであり、
クリップ部の突部の先端に、定位置にあるクリップ部の突部とフック部の内面との間を押し広げて被保持体が脱落しようとする際の動きと干渉して当該被保持体の脱落を規制する第１の規制部を更に設けている請求項１記載のフック部材。
【請求項３】
被保持体に設けられた保持用穴にフック部を係り合わせて前記被保持体の吊り下げ保持を可能とするものであり、
フック部の先端付近の内面に、定位置にあるクリップ部の突部とフック部の内面との間を押し広げて被保持体が脱落しようとする際の動きと干渉して当該被保持体の脱落を規制する第２の規制部を更に設けている請求項１又は２に記載のフック部材。
【請求項４】
請求項１〜３のいずれかに記載のフック部材を備えるものであり、当該フック部材の一部に、紐部材を挿し通して吊り下げるための挿通部及びポケットに掛け止めるための第２クリップ部の少なくともいずれか一方を設け、硬質樹脂で作られて保形性を有した被保持体たるカードケースの保持用穴に当該フック部材のフック部とクリップ部を係り合わせたことを特徴とするカードホルダ。
【発明の詳細な説明】
【技術分野】
【０００１】
本発明は、クリップを始めとして被保持体を引っ掛けて保持するフック部材に係り、更に詳しくは、樹脂により一体成型しても外れ難くしたフック部材及びカードホルダに関するものである。
【背景技術】
【０００２】
従来より、各種展示会、講演会、或いは一定の集会等においては、扁平な透明ケースに
名刺やＩＣカード等を収納して当該ケースをクリップに保持させ、このクリップに取り付けられた帯状の紐状部材を利用者の首回りに吊り下げ保持することで、各人の特定を行うことが行われている。
【０００３】
特許文献１には、このうち樹脂一体成型した簡易形のクリップが示されている。同クリップは、図１１（ａ）に実線で示すように、Ｊの字状をなす鉤状のフック部１２１と、定位置でこのフック部１２１の内側にありその位置から想像線ｆで示すように沈み込む方向へ弾性変形することによりフック部１２１との間の着脱口ＯＰを開放する板状のクリップ部１２２とを具備している。
【０００４】
フック部１２１とクリップ部１２２はほぼ等幅であり、クリップ部１２２の先端１２２ｂが定位置で前記フック部１２１の内側の幅方向ほぼ全域に重合することにより、着脱口ＯＰが閉止されるものである。
【先行技術文献】
【特許文献】
【０００５】
【特許文献１】意匠登録第１３０２４５０号公報
【発明の開示】
【発明が解決しようとする課題】
【０００６】
ところで、このようなクリップを樹脂一体成型すると、被保持体たとえばカードケースを何かに引っ掛けるなどしてフック部１２１とクリップ部１２２の間に相対的な力が働いた際にクリップ部１２２がフック部１２１に対して図１１（ａ）に想像線ｇで示すように幅方向にねじれ易い。このため、クリップ部１２２とフック部１２１の間の着脱口ＯＰが開いてカードケースが脱落してしまうおそれがあり、このような不具合を防止するためには、上記特許文献にあるようにフック部１２１やクリップ部１２２に一定以上の幅を確保しなければならず、コンパクト化やそれに伴う樹脂使用量の低減によるコストダウン、デザインの多様化が制限される要因となっている。
【０００７】
一方、この種のクリップは、成型時に図１１（ｂ）に実線で示すようにクリップ部１２２がフック部１２１の外側に位置する状態で当該フック部１２１とともに樹脂一体成型され、その位置から同図に想像線で示すようなねじりを伴って当該フック部１２１の側方を通過して同図（ａ）に実線で示したごとく内側に回り込んだ位置で定位置に収められるのが通例である。しかしながら、フック部１２１やクリップ部１２２の幅が大きくなると、上記のようにクリップ部１２２をフック部の外側位置で成型しそこから内側位置に回り込ませる作業が難しくなるという相反する不具合が生じる。
【０００８】
本発明は、このような課題に着目し、フック部やクリップ部を幅狭にしてもクリップ機能を損なうような変形やそれに伴うカードケース等の被保持体の脱落を招かないようにした、新たな構造のフック部材及びカードホルダを提供することを目的としている。
【課題を解決するための手段】
【０００９】
本発明は、かかる目的を達成するために、次のような手段を講じたものである。
【００１０】
すなわち、本発明のフック部材は、鉤状のフック部と、定位置でこのフック部の内側にありその位置から沈み込む方向へ弾性変形することによりフック部との間の着脱口を開放する板状のクリップ部とを具備するものにおいて、前記クリップ部の先端に、定位置でフック部の内側に重合する突部を幅方向に沿って中心から一方向へ偏位させた位置に設けるとともに、フック部の先端に、定位置にある前記クリップ部の突部よりも更に一方向へ偏位した位置において前記突部に隣接する突起を設けており、前記クリップ部は、フック部の外側に位置する状態で当該フック部とともに樹脂一体成型され、その位置からねじりを伴って当該フック部の内側に回り込み更に当該クリップ部の突部が前記フック部の突起を乗り越えた位置で定位置に収まることを特徴とする。
【００１１】
このようにすると、クリップ部がフック部に対して幅方向に変位しようとしても、一方向に対してはクリップ部の突部がフック部の突起を乗り越えない限りクリップ部がフック部から外れることがなく、他方向に対しては突部がフック部と重合しなくなる位置まで距離があるためクリップ部がフック部から外れにくい状態となる。このため、クリップ部やフック部を幅狭にしても、クリップ機能を損なうような変形やそれに伴うカードケース等の被保持体の脱落を有効に防止することができる。
【００１２】
さらに、クリップ部がフック部の外側に位置する状態で当該フック部とともに樹脂一体成型され、その位置からねじりを伴って当該フック部の内側に回り込み更に当該クリップ部の突部が前記フック部の突起を乗り越えた位置で定位置に収まることから、特に好適である。
【００１３】
このフック部材の適用対象である被保持体に設けられた保持用穴にフック部を係り合わせて前記被保持体の吊り下げ保持を可能とする場合に、簡素な構造で被保持体に対する保持状態をより確実ならしめるためには、クリップ部の突部の先端やフック部の先端付記の内面に、定位置にあるクリップ部の突部とフック部の内面との間を押し広げて被保持体が脱落しようとする動きと干渉して当該被保持体の脱落を規制する第１の規制部や第２の規制部を更に設けていることが望ましい。
【００１４】
このようなフック部材の一部に、紐部材を挿し通して吊り下げるための挿通部及びポケットに掛け止めるための第２クリップ部の少なくともいずれか一方を設け、硬質樹脂で作られて保形性を有した被保持体たるカードケースの保持用穴に当該フック部材のクリップ部とフック部を係り合わせる場合には、カードケース側から働くこじれ力がクリップ部とフック部の間を押し広げる方向に作用し易いため、本発明を適用することでカードホルダの保持機能を有効に高めることが可能となる。
【発明の効果】
【００１５】
本発明は、以上説明した構成であるから、フック部やクリップ部を幅狭にしてもクリップ機能を損なうような変形やそれに伴うカードケース等の被保持体の脱落を招くことがないため、被保持体としての機能を担保した上でコンパクト化や樹脂量を減らすことによるコストダウン、デザイン自由度の向上を図ることができ、また、成型時の状態から使用時の状態に移行させる作業も簡便にして、製造工程の簡略化も図ることができる、優れたフック部材を提供することができるものである。
【図面の簡単な説明】
【００１６】
【図１】本発明の一実施形態に係るフック部材を適用したカードホルダの斜視図。
【図２】同フック部材をクリップ部が定位置にある状態で示す斜視図。
【図３】図２に対応した側面図。
【図４】同フック部材をクリップ部が成型時の位置にある状態で示す斜視図。
【図５】同フック部材をクリップ部が成型時の位置にある状態で示す別の角度からの斜視図。
【図６】図４及び図５に対応した側面図。
【図７】同フック部材の使用時における作用説明図。
【図８】同フック部材の使用時における作用説明図。
【図９】同フック部材を適用したカードホルダの非使用時の状態を示す図。
【図１０】同実施形態と対比される構造における不具合を説明するための図。
【図１１】従来例の構造および不具合を説明するための図。
【発明を実施するための形態】
【００１７】
以下、本発明の一実施形態を、図面を参照して説明する。
【００１８】
図１〜図３はこの実施形態に係るネックストラップ用のフック部材２の使用時の状態を示しており、被保持体としてのカードケース１がフック部材２及びこれに装着された紐状部材３を介して吊り下げた状態に保持されている。カードケース１は、透明なポリカーボネート等の硬質樹脂を袋状に形成して構成された所謂ハードケースと称される公知のケースであり、その中央上端部１ａから略直交方向に屈曲した支持片１０には、左右方向に延びるスロット状の保持用穴１１が形成されている。
【００１９】
前記フック部材２は、保持空間を左右両側に開通しているとともに、前部に着脱口ＯＰを形成するフック部２１とクリップ部２２を備えている。フック部２１は上向き鉤状（Ｊ形）をなす板状をなし、クリップ部２２は短冊形をなす板状のものであって、フック部２１の基端２１ａとクリップ部２２の基端２２ａとはともに、背壁２０ａと頂壁２０ｂからなる逆Ｌ字形をなす基体２０の下端部と上端部にそれぞれ渾然一体に連設された状態で樹脂一体成型されている。すなわち、フック部２１は、基体２０の背壁２０ａの下端部から緩やかに円弧を描いて湾曲しその後に先端２１ｂを前上方に向けて直線状に起立させ、クリップ部２２は基体２０の頂壁２０ｂよりも薄肉に成型されてフック部２１に向かって直線状に延出し先端２２ｂをやや内側に傾斜させて前記フック部２１の先端２１ｂの内側に潜り込む位置に配されている。背壁２０ａの上方は一旦後方に屈曲した後に大きな曲率で前方に湾曲して頂壁２０ｂへとつながっていて、その湾曲部分ｃに、このフック部材２をポケットに掛け止めるための垂下片状の第２クリップ部２３が背壁２０ａの下方領域に沿って延びている。基体２０の頂壁２０ｂにはこのフック部材２を吊下げる紐部材３を挿し通すための一対の挿通窓２４が設けられている。
【００２０】
さらに本実施形態は、前記クリップ部２２の先端２２ｂに、当該先端２２ｂよりも幅狭であって定位置で前記フック部２１の内側に重合する突部２５を幅方向に沿って中心から一方向へ偏位させて設けるとともに、フック部２１の先端２１ｂに、定位置にある前記クリップ部２２の内側に突部２５よりも更に一方向へ偏位した位置において前記突部２５に隣接する錐状の突起２６を設けている。突部２５は舌片状のもので、当該突部２５の幅方向中心ｍ２がクリップ部２２の幅方向中心ｍ１よりも距離ｄ１だけ前記一方向へ偏位し、クリップ部２２の幅縁近くの所定領域Ａには当該突部２５は設けられていない。この突部２５は図３に示すように前記クリップ部２２の先端２１ｂの傾斜に滑らかに連続した後、前記フック部２１の前面に略平行な方向に屈曲している。
【００２１】
一方、図２等に示すフック部２１の突起２６は、前記フック部２１の端縁よりに設けられたもので、クリップ部２２が定位置にあるときに当該クリップ部２２の所定領域Ａに収まる幅寸法ｄ２を有する（ｄ２≦Ａ）。突起２６及び突部２５の隣接側の面は略フラットに成型されている。
【００２２】
なお、前記クリップ部２２の突部２５には、図３等に示すように定位置でフック部２１に面する側と反対側の面に向かって膨出する第１の規制部２７が設けてある。この第１の規制部２７は、先端に凹み２７ａを有するもので、被保持体であるカードケース１がフック部材２に対してクリップ部２２の突部２５とフック部２１の内面との間をこじ開けようとする挙動を起こしたときに、これを規制する働きをなす。これについては後述する。また、フック部２１の内面には、内側空間に向けて突出する第２の規制部２８が設けてある。この第２の規制部２８も、被保持体であるカードケース１がフック部材２に対してクリップ部２２の突部２５とフック部２１の内面との間をこじ開けようとする挙動を起こしたときに、これを規制する働きをなすものである。これについても後述する。
【００２３】
図４〜図６は前記フック部材２の成型時の状態を示している。成型時のクリップ部材２は、クリップ部２２がフック部２１の外側に位置する状態で成型され、前記開通方向（図５におけるＺ方向、−Ｚ方向）に型割がされる。符号Ｐで示すものはパーティングラインであり、保持用穴１１等にはスライド型が用いられる。そして、成型後のクリップ部２２を、外側位置から図４に想像線で示すようにねじりを伴ってフック部２１の側方を通過して図２に示すように先端２２ｂ当該フック部２１の先端２１ｂの内側に回り込ませることによって、クリップ部２２をフック部２１の内面に重合させる定位置に収めている。この際、クリップ部２２には突部２５が形成してあり、フック部２１には突起２６が形成してあるため、クリップ部２２の突部２５は内側に回り込んだ際に図６に想像線で示すように一時的にフック部２１の突起２６よりも内方に沈みこんでこれを乗り越えることによって始めて図１〜図３に示す定位置に収まることができる。
【００２４】
この使用状態において、クリップ部２２は図３及び図６に示すように成型時の位置よりも基体２０の頂壁２０ｂとのなす角度θがθ１→θ２と小さくなることで元の角度θ１に戻ろうとする方向の弾性力を蓄積し、この弾性力が着脱口ＯＰを閉止する閉止力となる。利用者は、その弾性力に抗して図７に矢印及び想像線で示すようにクリップ部２２をフック部２１に対して指で直接、またはカードケース１の支持片１０を介して押し込むことによって、着脱口ＯＰを開口させ、カードケース１の保持用穴１１をフック部２１の先端に挿し通しまたは抜き取ることができるものである。
【００２５】
そして本実施形態は、図２に示したように、クリップ部２２の先端２２ｂに、定位置でフック部２１の内側に重合する突部２５を幅方向に沿って中心から一方向へ偏位させた位置に設けるとともに、フック部２１の先端２１ｂに、定位置にある前記クリップ部２２の突部２５よりも更に一方向へ偏位した位置において前記突部２５に隣接する錐状の突起２６を設けたので、クリップ部２２がフック部２１に対して幅方向に変位しようとしても、図８に矢印Ｓ１で示す一方向に対してはクリップ部２２の突部２５がフック部２１の突起２６を乗り越えない限りクリップ部２２がフック部２１から外れることがなく、また、同図に矢印Ｓ２で示す他方向に対しては突部２５がフック部２１と重合しなくなる位置Ｑまで距離があるためにクリップ部２２がフック部２１から外れにくい状態となる。このため、クリップ部２２やフック部２１を幅狭にしても、クリップ部２２が図４〜図６に示すようにフック部２１の外側に逆戻りしてクリップ機能を損なってしまうような変形や、それに伴い被保持体であるカードケース１がクリップ部材２から脱落してしまうことを有効に防止することができる。
【００２６】
また、上記のようにクリップ部２２やフック部２１を幅狭にできることで、クリップ部２２がフック部２１の外側に位置する図４〜図６の状態でこれらを樹脂一体成型してもクリップ部２２をフック部２１の内側に回り込ませて図１〜図３の状態に移行させる作業が容易となり、かつ成型時の位置に逆戻りし難い安定した使用状態を得ることができる。
【００２７】
さらに、この種のカードホルダは、使用しないときに図９に示すようにカードケース１に紐部材３を巻きつけておくことが少なくないが、仮に規制部２７、２８が無いとすると、図１０（ａ）に示すように巻き付けに伴いカードケース１がフック部材２のフック部２１とクリップ部２２が支持片１０の保持用穴１１に進入する状態が生じ、次にフック部材２が相対的にカードケース１に対し同図（ｂ）に示す位置に回転して保持用穴１０を形成している支持片１１の開口縁１１ａ、１１ｂがフック部２１とクリップ部２２の間の着脱口ＯＰをこじ開ける挙動をなし、さらにカードケース１がフック部材２に対し同図（ｃ）に示す反転位置まで相対回転することでカードケースが前記着脱口ＯＰを介してクリップ部材２から脱落してしまうことがある。このような不具合は、他の何らかの外力が働いた際にも起こり得るものである。
【００２８】
これに対して、本実施形態は、先ずカードケースに対して図１０（ａ）の状態になろうとしても図３に示したフック部２１に設けた第２の規制部２８が支持片１０の開口縁１１ａと干渉してこれを規制し、さらにクリップ部２２が図１０（ｂ）の状態になっても図３に示したフック部２２に設けた第１の規制部２７の凹み２７ａが支持片１０の開口縁１１ａと干渉して同図（ｃ）の状態に反転することを規制するので、これらの規制部２７、２８によって図１０（ｃ）の状態を経てカードケース１がクリップ部材２から脱落することを有効に防止することができる。
【００２９】
そして本実施形態は、以上の構造を導入した上で、フック部材２の一部に、紐部材３を挿し通して吊り下げるための挿通部２４やポケットに掛け止めるための第２クリップ部２３を設け、硬質樹脂で作られて保形性を有した被保持体たるカードケース１の保持用穴１１にフック部材２のクリップ部２２とフック部２１を係り合わせて吊下げタイプのカードホルダを構成しているため、様々な外力によってカードケース１側からクリップ部２２とフック部２１の間を押し広げる方向にこじれ力が作用しても、カードホルダの保持機能を有効に維持することが可能となる。
【００３０】
なお、各部の具体的な構成は、上述した実施形態のみに限定されるものではない。
【００３１】
例えば、上記実施形態では向かって左側に突部２５と突起２６を設けているが、右側に設けても作用効果は同様である。
【００３２】
また、上記実施形態では適用対象である被保持体としてカードケースを例示したが、例えば鞄その他の物品に取り付けられてバックルを着脱するためのスナップフック等の接続環としても本発明を有効利用することができる。
【００３３】
その他の構成も、本発明の趣旨を逸脱しない範囲で種々変形が可能である。
【符号の説明】
【００３４】
１…被保持体（カードケース）
２…フック部材
３…紐部材
１１…保持用穴
２１…フック部
２１ｂ…先端
２２…クリップ部
２２ｂ…先端
２５…突部
２６…突起
２７…第１の規制部
２８…第２の規制部
ＯＰ…着脱口
【図１】
0005724059.tif 000002
【図２】
0005724059.tif 000003
【図３】
0005724059.tif 000004
【図４】
0005724059.tif 000005
【図５】
0005724059.tif 000006
【図６】
0005724059.tif 000007
【図７】
0005724059.tif 000008
【図８】
0005724059.tif 000009
【図９】
0005724059.tif 000010
【図１０】
0005724059.tif 000011
【図１１】
0005724059.tif 000012